(57)【特許請求の範囲】
【請求項１】
勾配面を有する構造物に設置して使用するための梯子であって、
前記構造物に係止するためのフックを上端部に備え、梯子全体が上部エレメント、中間部エレメント、下部エレメントの複数の分割体を着脱可能に連結することにより構成されているとともに、前記下部エレメントの下端部に高さ調整可能に支持するブラケットを介して前記下部エレメントの幅方向に平行な軸に支持された状態で旋回し得ないように固定した車輪を備えることを特徴とする勾配面用梯子。
【請求項２】
少なくとも上端部に手摺を備えることを特徴とする請求項１に記載の勾配面用梯子。
【請求項３】
勾配面を有する構造物に梯子を設置する方法であって、
前記構造物に既設した掛止用突起部に支持させて横架材を架設し、請求項１及び２に記載の勾配面用梯子の車輪を勾配面上で滑動させて前記勾配面用梯子を降ろし、前記勾配面用梯子のフックを前記横架材に係止して前記勾配面用梯子を設置することを特徴とする梯子の設置方法。
【発明の詳細な説明】
【０００１】
【発明の属する技術分野】
本発明は、建物の屋根等のような勾配面を有する構造物に架設して使用するための梯子に関する。
【０００２】
【従来の技術・発明が解決しようとする課題】
例えば図７に示すように、建物の屋上階Ｒから葺下し屋根５上へ下りて、トップライト周りの点検やシーリング作業といった各種メンテナンス作業を行うような場合、該葺下し屋根５がある程度以上の勾配を有するものであると、直接該葺下し屋根５上に下りて作業を行うのは困難であるため、同図に示すような梯子Ｌ１０等の昇降手段を使用する必要がある。
【０００３】
しかしながら、特に上記葺下し屋根５のような勾配面に、梯子Ｌ１０等を上方から設置するのは面倒である。例えば外壁面などの垂直面に沿って梯子を設置する場合であれば、梯子を垂直に降ろしていくようにすればよいが、上記のような勾配面の場合は、該勾配面に沿って梯子を斜め下方におろしておくか、あるいは図７中の矢印Ａ１０に示すように、梯子Ｌ１０の下端部を前方にさしだすようにしてから該勾配面上に下ろすようにする必要があるため、特に該梯子Ｌ１０が長尺である場合やその重量が大である場合ほど、この動作が行いづらい。
【０００４】
また、梯子Ｌ１０を十分に安定して設置することが難しい場合も多く、このためメンテナンス作業の際の安全性が不十分となりやすい。さらにまた、梯子Ｌ１０の位置を変更するのが面倒な場合や困難な場合もあり、このため上記メンテナンス作業が非効率的となったり不十分となったりしやすいという問題もある。
【０００５】
本発明は、上記の点に鑑みてなされたものであり、勾配面を有する構造物にも容易に設置することができる梯子を提供することを目的とする。
【０００６】
また、本発明は、勾配面を有する構造物に梯子を安定して設置することができ、その位置調整も容易に行うことが可能な梯子の設置方法を提供することを目的とする。
【０００７】
【課題を解決するための手段】
上記目的を達成するためになされた本発明の請求項１に記載の勾配面用梯子は、勾配面を有する構造物に設置して使用するための梯子であって、前記構造物に係止するためのフックを上端部に備え、梯子全体が上部エレメント、中間部エレメント、下部エレメントの複数の分割体を着脱可能に連結することにより構成されているとともに、前記下部エレメントの下端部に高さ調整可能に支持するブラケットを介して前記下部エレメントの幅方向に平行な軸に支持された状態で旋回し得ないように固定した車輪を備えることを特徴とするものである。
【０００８】
また、本発明の請求項２に記載の勾配面用梯子は、前記請求項１に記載の勾配面用梯子において、少なくとも上端部に手摺を備えることを特徴とするものである。
【０００９】
また、本発明の請求項３に記載の梯子の設置方法は、勾配面を有する構造物に梯子を設置する方法であって、前記構造物に既設した掛止用突起部に支持させて横架材を架設し、請求項１及び２に記載の勾配面用梯子の車輪を勾配面上で滑動させて前記勾配面用梯子を降ろし、前記勾配面用梯子のフックを前記横架材に係止して前記勾配面用梯子を設置することを特徴とするものである。
【００１１】
【発明の実施の形態】
以下、実施形態を例示し、本発明を具体的に記述する。図１には、本発明の一実施形態に係る勾配面用梯子が示されている。同図に示す勾配面用梯子（以下、単に梯子とも称す）Ｌ１は、梯子本体１に、フック２および車輪３が設けられた構成となっている。
【００１２】
梯子本体１は、複数の分割体１Ｔ、１Ｍ、1Ｂを上下方向に連結することにより構成されている。上記各分割体１Ｔ、１Ｍ、1Ｂは、いずれもアルミニウム製の部材となっており、通常の梯子と同様に、縦方向に延びる両側材の間に複数の横桟を架設した基本構成となっている。
【００１３】
上記複数の分割体１Ｔ、１Ｍ、1Ｂのうち、最上部を構成する分割体（以下、上部エレメントと称す）１Ｔにおいては、図２にも示すように、両側材１ａ、１ａの上端にフック２、２がそれぞれ配設されている。該両側材１ａ、１ａの上端部には、それぞれ外側へ突出させるようにしてＵボルト１１、１１が固定されており、該フック２、２は、チェーンを介して該Ｕボルト１１、１１に連結されている。該フック２、２には、外れ止め手段としてラッチ２ａ、２ａがそれぞれ設けられている。
【００１４】
上記上部エレメント１Ｔの両側材１ａ、１ａの上端近傍および下端近傍（計４箇所）には、それぞれ短尺の脚１ｂが配設されている。該脚１ｂは、設置面に対し梯子Ｌ１を支持する部材であり、該上部エレメント１Ｔの裏側方向へ、即ち、両側材１ａ、１ａおよび横桟によって構成される面に垂直な方向に沿って一方側方向へ突出するように設けられている。該脚１ｂの自由端には、弾性材１ｃが配設されている。
【００１５】
上記上部エレメント１Ｔの両側材１ａ、１ａの下端には、中間部を構成する分割体（以下、中間部エレメントと称す）１Ｍの両側材１ｄ、１ｄの上端が着脱可能に連結される。前記上部エレメント１Ｔの両側材１ａ、１ａの下端には、上下に２つのピン挿通孔が設けられた挿入片１２、１２が下方へ突出するようにしてそれぞれ接合されている。前記中間部エレメント１Ｍの両側材１ｄ、１ｄの上端部には、上面視コの字形状のプレートを、内部に若干の間隙が形成されるようにして外側から嵌着することにより、バックル部１３，１３がそれぞれ設けられており、該バックル部１３，１３には、前記間隙の内部へ出入可能な連結ピン１３a、１３aがそれぞれ配設されている。また、該バックル部１３、１３のやや下方には、ピン挿通孔１４、１４がそれぞれ配設されている。
【００１６】
上記上部エレメント１Ｔの挿入片１２、１２を、バックル部１３、１３内に挿入し、該挿入片１２、１２の上側のピン挿通孔に連結ピン１３a、１３aを挿通し、さらに、下側のピン挿通孔と、前記中間部エレメント１Ｍのピン挿通孔１４、１４とに、トグルピン（図示せず）を挿通してロックすることによって、上部エレメント１Ｔと中間部エレメント１Ｍとが連結される。
【００１７】
上記中間部エレメント１Ｍは、上端部以外は前記上部エレメント１Ｔとほぼ同様の構成を有している。
【００１８】
上記中間部エレメント１Ｍの両側材１ｄ、１ｄの下端には、図３に示すように、下端部を構成する分割体（以下、下部エレメントと称す）１Ｂの両側材１ｅ、１ｅの上端が着脱可能に連結される。この連結構造は、前記図２に示す上部エレメント１Ｔと中間部エレメント１Ｍとの連結構造と同様である。
【００１９】
上記下部エレメント１Ｂは、下端部以外は前記中間部エレメント１Ｍと同様の構成を有している。
【００２０】
上記下部エレメント１Ｂの両側材１ｅ、１ｅの下端には、車輪３、３がそれぞれ配設されている。該車輪３、３は、該下部エレメント１Ｂの幅方向に平行な軸に支持された状態で、旋回し得ないように固定されており、該車輪３、３により、図３中の矢印Ａ１に示すように、梯子Ｌ１の下端を該梯子Ｌ１の長さ方向にほぼ沿って滑動させ得るようになっている。該車輪３、３は、該車輪３、３を高さ調節可能に支持するブラケット３a、３aを介して、上記両側材１ｅ、１ｅの下端に取り付けられている。
【００２１】
上記梯子Ｌ１には、必要に応じ、図１に示すような手摺４が左右両側に取り付けられる（図1では一方の手摺４のみ図示）。該手摺４は、パイプを枠状に構成してなり、対向する2長辺部と２短辺部とにより略長方形状の外形を有し、一方長辺部の両端に位置する隅部は丸く形成されている。中央部より若干一方短辺部寄りの位置には、該短辺部に平行にパイプが架設されており、このほぼ中央部のパイプと、該パイプに若干近接する上記短辺部のパイプとは、他方長辺部、即ち前記両端が丸形の長辺部に対向する長辺部よりも外側へやや突出して、それぞれ短尺の突出片４ａ、４ａを形成している。
【００２２】
図２に示すように、前記上部エレメント１Ｔにおける両側材１ａ、１ａの外側面の上端近傍および下端近傍、より具体的には、前記各脚１ｂの配設位置より若干内側寄りの位置には、該脚１ｂと同方向に延びる短尺のパイプ４ｂがそれぞれ配設されており、前記手摺４の突出片４ａが該パイプ４ｂに挿入され固定されるようになっている。
【００２３】
上記梯子Ｌ１は、前記中間部エレメント１Ｍを省略、あるいは必要数だけ追加することにより、段階的に長さを調整することができる。該梯子Ｌ１を縮小する場合には、前記上部エレメント１Ｔと下部エレメント１Ｂとを直接連結すればよく、延長する場合には、前記上部エレメント１Ｔと下部エレメント１Ｂとの間に、必要数の中間部エレメント１Ｍを追加して連結すればよい。
【００２４】
以下、上記梯子Ｌ１を建物の葺下し屋根に設置する方法の一例を順次記述する。
（１）まず、図４に示すように、葺下し屋根５の上端部に横架材６を架設する。
【００２５】
ここに示す例では、上記葺下し屋根５の上端縁に沿った複数の適宜位置に、安全帯取付用のループ状部７が既設されている。該ループ状部７は、半リング状の部材の両端を葺下し屋根５の屋根流れ面上に固着するようにして設けられている。一方、上記横架材６としては単管が用いられており、両端部をクランプ６ａ等を介して上記ループ状部７に掛止することによって、葺下し屋根５の上端縁に沿って該横架材６を水平な状態に架設するようになっている。上記クランプ６ａにも、ループ状の掛止部が設けられており、該クランプ６ａの掛止部と前記葺下し屋根５のループ状部７とが、シャックル８等を介して掛止されるようになっている。また、該クランプ６ａには、葺下し屋根５との間に介在させるためのゴム等よりなる弾性材（図示せず）が設けられている。
【００２６】
（２）ついで、梯子Ｌ１を組み立てる。
【００２７】
梯子Ｌ１は、葺下し屋根５の長さに応じて適当な長さとなるように組み立て、必要に応じ手摺４を取り付ける。
【００２８】
（３）ついで、図５に示すように、梯子Ｌ１を屋根流れ面に沿って下方におろしていくようにする。
【００２９】
このとき、梯子Ｌ１の下端は車輪３、３により屋根流れ面上で滑動させるようにしておろしていくようにすればよい。またこのとき、前記手摺４を取り付けておくと、該手摺４を把持することにより梯子Ｌ１をより容易に扱うことができ、さらに、該手摺４を図５に示すように梯子Ｌ１の上端から突出させるようにして取り付けておくと、梯子Ｌ１がより扱いやすくなる。
【００３０】
（４）ついで、図６に示すように、上端を前記横架材６に係止するようにして、梯子Ｌ１を葺下し屋根５に設置固定する。
【００３１】
このとき、梯子Ｌ１の上端はフック２、２により横架材６に係止すればよい。これにより、該梯子Ｌ１の上端が、横架材６を介し、葺下し屋根５に係止固定される。
【００３２】
上記梯子Ｌ１を撤去する際には、上記とほぼ逆の手順によればよい。
【００３３】
上記梯子Ｌ１によれば、勾配面を有する構造物に係止するためのフック２、２を上端部に備えるとともに、該構造物の勾配面上を滑動するための車輪３、３を下端部に備えるものとなっているので、該車輪３、３により下端を勾配面上で滑動させるようにしておろしていき、フック２、２により上端を構造物に係止するようにすることにより、該勾配面に沿って梯子Ｌ１を容易に設置することができる。即ち、下端を勾配面上に支承させながら梯子Ｌ１をおろしていくことができるので、大きな労力を要することなく該梯子Ｌ１を上方から容易に設置することができる。
【００３４】
さらに、上記梯子Ｌ１によれば、上端部に手摺４を備えるものとなっているので、より昇降がしやすい上、該手摺４をハンドルとして使用することによって梯子Ｌ１の設置および撤去をさらに容易に行うことができる。
【００３５】
さらに、上記梯子Ｌ１によれば、複数の分割体１Ｔ、１Ｍ、1Ｂを着脱可能に連結することにより構成されているので、設置箇所に応じて段階的に長さを調整することができ、また分割することで運搬、保管等が容易となる。
【００３６】
また、上記梯子の設置方法によれば、勾配面を有する構造物に既設されている掛止用突起部、即ち葺下し屋根５のループ状部７に支持させるようにして横架材６を架設し、前記図1乃至図３に示す梯子Ｌ１を、該横架材６に係止するようにして設置するようにしているので、該梯子Ｌ１を十分に安定して設置することができ、また、該梯子Ｌ１を横架材６に沿って横方向に容易に移動させることができるため、その位置変更も容易である。
【００３７】
上記梯子Ｌ１およびその設置方法には、様々な変更を加えることが可能である。例えば、該梯子Ｌ１を複数に分割せずに一体に構成してもよい。さらにこの場合、該梯子Ｌ１を折り畳み式、スライド式等により伸縮可能な構成としてもよい（図示せず）。
【００３８】
また、例えば、該梯子Ｌ１の中間部エレメント１Ｍないし下部エレメント１Ｂにも前記とほぼ同様にして手摺を設け得る構成としてもよい（図示せず）。ただしこれによれば、該梯子Ｌ１の昇降の上では有利であるが、メンテナンス作業の際に邪魔となるきらいがあり、また軽量化の点でやや不利である。
【００３９】
また、例えば、該梯子Ｌ１は、建物の屋根以外にも、勾配面を有する構造物であって該梯子Ｌ１を係止し得る構造を有しているものであれば、任意の構造物に好適に設置することができる。さらには、該梯子Ｌ１を係止し得る構造を有している構造物であれば、例えば建物の外壁面等の垂直面であっても、該梯子Ｌ１を設置して使用することができる。
【００４０】
また、横架材６を支持させるための掛止用突起部としても、前記ループ状部７のようなもの以外にも任意のものが可能であり、例えば、鉤形状の突起部や、ボルト等であってもよい。さらには、構造物自体が横架材６と同等に機能し得る部位を有している場合には、横架材６を介さずに梯子Ｌ１を直接当該構造物に係止固定するようにしてもよい。
【００４１】
【発明の効果】
以上のように、本発明の請求項１に記載の勾配面用梯子によれば、勾配面を有する構造物に係止するためのフックを上端部に備え、梯子全体が上部エレメント、中間部エレメント、下部エレメントの複数の分割体を着脱可能に連結することにより構成されているとともに、前記下部エレメントの下端部に高さ調整可能に支持するブラケットを介して前記下部エレメントの幅方向に平行な軸に支持された状態で旋回し得ないように固定した車輪を備えるので、該車輪により下端を勾配面上で滑動させるようにしておろしていき、フックにより上端を構造物に係止するようにすることにより、該勾配面に沿って梯子を容易に設置することができる。即ち、下端を勾配面上に支承させながら梯子をおろしていくことができるので、該梯子の長さや重量が多少大きくなっても、比較的少ない労力で該梯子を上方から容易に設置することができる。また、複数の分割体を着脱可能に連結することにより構成されているので、設置箇所に応じて段階的に長さを調整することができ、また分割することで運搬、保管等が容易となる。
【００４２】
さらに加えて、本発明の請求項２に記載の勾配面用梯子によれば、少なくとも上端部に手摺を備えるので、より昇降がしやすい上、該手摺をハンドルとして使用することによって梯子の設置および撤去をさらに容易に行うことができる。
【００４３】
さらに加えて、本発明の請求項３に記載の梯子の設置方法によれば、前記構造物に既設した掛止用突起部に支持させて横架材を架設し、請求項１及び２に記載の勾配面用梯子の車輪を勾配面上で滑動させて前記勾配面用梯子を降ろし、前記勾配面用梯子のフックを前記横架材に係止して前記勾配面用梯子を設置するようにするので、該梯子を十分に安定して設置することができ、したがって、メンテナンス作業の際の安全性を十分に確保することができる。また、該梯子を横架材に沿って横方向に容易に移動させることができるため、その位置変更も容易であり、したがって、上記メンテナンス作業を効率良くかつ十全に行うことができる。
【図面の簡単な説明】
【図１】本発明の一実施形態に係る勾配面用梯子を示す斜視図。
【図２】図１の勾配面用梯子の上部エレメント、中間部エレメントおよびその連結構造を示す分解斜視図。
【図３】図１の勾配面用梯子の下部エレメントおよびその連結構造を示す分解斜視図。
【図４】本発明の一実施形態に係る梯子の設置方法の第１行程を示す模式図。
【図５】図４の第１行程に続く第２行程を示す模式図。
【図６】図５の第２行程に続く第３行程を示す模式図。
【図７】従来の梯子の設置方法の一例を示す模式図。
【符号の説明】
２  フック
３  車輪
５  葺下し屋根（勾配面を有する構造物）
６  横架材
７  ループ状部（掛止用突起部）
Ｌ１  勾配面用梯子
【図１】
0003912713.tif 000002
【図２】
0003912713.tif 000003
【図３】
0003912713.tif 000004
【図４】
0003912713.tif 000005
【図５】
0003912713.tif 000006
【図６】
0003912713.tif 000007
【図７】
0003912713.tif 000008